(57)【特許請求の範囲】
【請求項１】
無線基地局と無線端末と複数の無線機を有する無線中継装置とを備えた無線通信システムにおいて、前記無線端末と前記無線基地局とが、前記無線中継装置を介してＴＤＭＡによって通信を行う際の無線チャネル割当方法であって、
前記無線中継装置が、前記無線端末に対して、複数の無線機のうちのいずれの無線機にも使用されていない時間タイミングの無線チャネルを優先的に割り当てるステップを有することを特徴とする無線チャネル割当方法。
【請求項２】
無線基地局と無線端末と複数の無線機を有する無線中継装置とを備えた無線通信システムにおいて、前記無線端末と前記無線基地局とが、前記無線中継装置を介してＴＤＭＡによって通信を行う際の無線チャネル割当方法であって、前記無線端末と前記無線基地局間で所定数の無線チャネルの接続を行う際に、前記無線中継装置が、
（１）前記無線端末から呼接続の要求を受けた場合、前記無線端末に割り当てる１つの無線チャネルとして、複数の無線機のうちのいずれの無線機にも使用されていない時間タイミングの無線チャネルを優先的に決定し、複数の無線機のうちのいずれの無線機にも使用されていない時間タイミングの無線チャネルが存在しなければ、使用している無線機が少ない無線チャネルから順に決定し、該無線チャネルを前記無線端末に割り当てる第１のステップと、
（２）前記無線端末に対して前記所定数の無線チャネルを割り当てるまで前記第１のステップを繰り返す第２のステップと、
（３）前記無線基地局に対し１つの無線チャネルを要求する第３のステップと、
（４）前記無線基地局が前記所定数の無線チャネルを割り当てるまで前記第３のステップを繰り返す第４のステップとを有することを特徴とする無線チャネル割当方法。
【請求項３】
前記無線中継装置は、前記無線端末に制御信号を送信する無線チャネルとして、前記無線基地局から送信される制御信号と同じ時間タイミングの無線チャネルを用いるステップを含む請求項２に記載の無線チャネル割当方法。
【請求項４】
前記無線中継装置は、前記無線端末に割り当てる無線チャネルとして、複数の無線機のうちのいずれの無線機にも使用されていない時間タイミングの無線チャネルが存在しない場合、前記無線基地局から送信される制御信号と同じ時間タイミングの無線チャネルを優先的に割り当てるステップを含む請求項２に記載の無線チャネル割当方法。
【請求項５】
無線基地局と無線端末と複数の無線機を有する無線中継装置とを備え、前記無線端末と前記無線基地局とが、前記無線中継装置を介してＴＤＭＡによって通信を行う無線通信システムにおいて、
前記無線中継装置が、前記無線端末に対して、複数の無線機のうちのいずれの無線機にも使用されていない時間タイミングの無線チャネルを優先的に割り当てる手段を有することを特徴とする無線通信システム。
【請求項６】
無線基地局と無線端末と複数の無線機を有する無線中継装置とを備えた、前記無線端末と前記無線基地局とが、前記無線中継装置を介してＴＤＭＡによって通信を行う無線通信システムであって、前記無線中継装置は、
（１）前記無線端末から呼接続の要求を受けた場合、前記無線端末に割り当てる１つの無線チャネルとして、複数の無線機のうちのいずれの無線機にも使用されていない時間タイミングの無線チャネルを優先的に決定し、複数の無線機のうちのいずれの無線機にも使用されていない時間タイミングの無線チャネルが存在しなければ、使用している無線機が少ない無線チャネルから順に決定し、該無線チャネルを前記無線端末に割り当てる第１の手段と、
（２）前記無線端末に対して所定数の無線チャネルを割り当てるまで前記第１のステップを繰り返す第２の手段と、
（３）前記無線基地局に対し１つの無線チャネルを要求する第３の手段と、
（４）前記無線基地局が前記所定数の無線チャネルを割り当てるまで前記第３の手段の処理を繰り返す第４の手段とを有することを特徴とする無線通信システム。
【請求項７】
前記無線中継装置は、前記無線端末に制御信号を送信する無線チャネルとして、前記無線基地局から送信される制御信号と同じ時間タイミングの無線チャネルを用いる手段を含む請求項６に記載の無線通信システム。
【請求項８】
前記無線中継装置は、前記無線端末に割り当てる無線チャネルとして、複数の無線機のうちのいずれの無線機にも使用されていない時間タイミングの無線チャネルが存在しない場合、前記無線基地局から送信される制御信号と同じ時間タイミングの無線チャネルを優先的に割り当てる手段を含む請求項６に記載の無線通信システム。
【請求項９】
無線基地局と無線端末と複数の無線機を有する無線中継装置とを備え、前記無線端末と前記無線基地局とが、前記無線中継装置を介してＴＤＭＡによって通信を行う無線通信システムにおける無線中継装置であって、
前記無線端末に対して、複数の無線機のうちのいずれの無線機にも使用されていない時間タイミングの無線チャネルを優先的に割り当てる手段を有することを特徴とする無線中継装置。
【請求項１０】
無線基地局と無線端末と複数の無線機を有する無線中継装置とを備え、前記無線端末と前記無線基地局とが、前記無線中継装置を介してＴＤＭＡによって通信を行う無線通信システムにおける無線中継装置であって、
（１）前記無線端末から呼接続の要求を受けた場合、前記無線端末に割り当てる１つの無線チャネルとして、複数の無線機のうちのいずれの無線機にも使用されていない時間タイミングの無線チャネルを優先的に決定し、複数の無線機のうちのいずれの無線機にも使用されていない時間タイミングの無線チャネルが存在しなければ、使用している無線機が少ない無線チャネルから順に決定し、該無線チャネルを前記無線端末に割り当てる第１の手段と、
（２）前記無線端末に対して所定数の無線チャネルを割り当てるまで前記第１のステップを繰り返す第２の手段と、
（３）前記無線基地局に対し１つの無線チャネルを要求する第３の手段と、
（４）前記無線基地局が前記所定数の無線チャネルを割り当てるまで前記第３の手段の処理を繰り返す第４の手段とを有することを特徴とする無線中継装置。
【請求項１１】
前記無線端末に制御信号を送信する無線チャネルとして、前記無線基地局から送信される制御信号と同じ時間タイミングの無線チャネルを用いる手段を含む請求項１０に記載の無線中継装置。
【請求項１２】
前記無線端末に割り当てる無線チャネルとして、複数の無線機のうちのいずれの無線機にも使用されていない時間タイミングの無線チャネルが存在しない場合、前記無線基地局から送信される制御信号と同じ時間タイミングの無線チャネルを優先的に割り当てる手段を含む請求項１０に記載の無線中継装置。
【発明の詳細な説明】
【０００１】
【発明の属する技術分野】
本発明は無線チャネル割当方法に関し、特に、ＴＤＭＡによって通信を行なう無線通信システムにおける無線チャネル割当方法に関する。
【０００２】
【従来の技術】
図４は、従来の無線通信システムの構成例を示す図である。この無線通信システムは、無線端末１０１〜１０ｎと、無線端末１０１〜１０ｎと無線チャネルで接続される無線中継装置２０と、無線中継装置２０と無線チャネルで接続される無線基地局３０１〜３０ｍとで構成される。無線基地局３０１〜３０ｍは、他の無線基地局又はＰＳＴＮ(Public Switched Telephone Network：公衆電話網）、IＳＤＮ（Integrated Services Digital Network:統合サービスディジタル網）、インターネット等の交換局、ルータ等に接続されている。
【０００３】
この従来の無線通信システムでの無線チャネル割当方法のシーケンスを図５に示して説明する。図５はＰＨＳ（Personal Handy Phone system）を用いて６４ｋ無線通信を行う場合を示している。
【０００４】
無線端末１０１は、発信時に無線端末側の第１の無線チャネル（以下、「端末側第１ＴＣＨ」という。）の割当のためのＬＣＨ（リンクチャネル）確立要求信号を無線中継装置２０に送信する（ステップ１０１）。
【０００５】
無線中継装置２０は、無線端末１０１からの端末側第１ＣＨの割当のためのＬＣＨ確立要求信号を受信すると、無線基地局３０１に対して無線基地局側の第１の無線チャネル（以下、「基地局側第１ＴＣＨ」という。）の割当のためにＬＣＨ確立要求信号を送信する（ステップ１０２）。
【０００６】
無線基地局３０１は、無線中継装置２０からＬＣＨ確立要求信号を受信すると、無線基地局３０１で使用していない無線チャネルを無線中継装置２０に対して基地局側第１ＴＣＨとして割り当て、ＬＣＨ割当信号によって無線中継装置２０に通知する（ステップ１０３）。
【０００７】
無線中継装置２０は、無線基地局３０１から割り当てられた基地局側第１ＴＣＨが使用可能であれば、基地局側第１ＴＣＨにおいて、無線基地局３０１との無線チャネルを確立する（ステップ１０４）。
【０００８】
そして、無線中継装置２０は、使用していない無線チャネルを端末側第１ＴＣＨとして無線端末１０１に割り当て、無線端末１０１にＬＣＨ割当信号によって通知する（ステップ１０５）。
【０００９】
無線端末１０１は、無線中継装置２０からＬＣＨ割当信号を受信すると、端末側第１ＴＣＨにおいて、無線中継装置２０との無線チャネルを確立する（ステップ１０６）。
【００１０】
そして、無線中継装置２０に無線端末側の第２の無線チャネル（以下「端末側第２ＴＣＨ」という。）の割当を要求するためにＴＣＨ追加要求信号を無線中継装置２０に送信する（ステップ１０７）。
【００１１】
無線中継装置２０は、無線端末１０１からのＴＣＨ追加要求信号を受信すると、無線基地局３０１に対して無線基地局側の第２の無線チャネル（以下「基地局側第２ＴＣＨ」という。）の割当のためにＬＣＨ確立要求信号を送信する（ステップ１０８）。
【００１２】
無線基地局３０１は、無線中継装置２０からＬＣＨ確立要求信号を受信すると、無線基地局３０１で使用していない無線チャネルを無線中継装置２０に対して基地局側第２ＴＣＨとして割り当て、ＬＣＨ割当信号によって無線中継装置２０に通知する（ステップ１０９）。
【００１３】
無線中継装置２０は、無線基地局３０１から割り当てられた基地局側第２ＴＣＨが使用可能でれば、基地局側第２ＴＣＨにおいて、無線基地局３０１との無線チャネルを確立する（ステップ１１０）。
【００１４】
そして、使用していない無線チャネルを端末側第２ＴＣＨとして、無線端末１０１にＬＣＨ割当信号によって通知する（ステップ１１１）。
【００１５】
無線端末１０１は、無線中継装置２０からＬＣＨ割当信号を受信すると、端末側第２ＴＣＨにおいて、無線中継装置２０との無線チャネルを確立する（ステップ１１２）。
【００１６】
上記に示す手順により各無線端末１０１〜１０ｎは、無線中継装置２０を介して無線基地局３０１〜３０ｍと無線チャネルを確立する事が可能になる（ステップ１１３）。
【００１７】
従来の無線チャネル割当方法においては、無線基地局３０１〜３０ｍ及び、無線中継装置２０が任意の使用していない無線チャネルを割り当てる。無線基地局３０１〜３０ｍは無線中継装置２０が無線端末１０１〜１０ｎに割り当てた端末側第１ＴＣＨの無線チャネルを知る事ができないので、無線基地局３０１〜３０ｍが無線中継端末２０に割り当てた基地局側第２ＴＣＨと端末側第１ＴＣＨが同一となる場合がある。この場合、無線中継装置２０は無線基地局３０１〜３０ｍに再度基地局側第２ＴＣＨの割当を要求するが、無線基地局３０１〜３０ｍが先に割り当てた基地局側第２ＴＣＨ以外の無線チャネルを割り当てる事が出来なければ、無線端末１０１〜１０ｎと無線基地局３０１〜３０ｍの間において複数の無線チャネルを確立することができない。
【００１８】
また、現在のＰＨＳの無線端末１０１〜１０ｎにおいては、無線端末１０１〜１０ｎの無線機の性能から端末側第１ＴＣＨと端末側第２ＴＣＨで割り当てる事ができない無線チャネルの組合せが存在する。例えば、多くのＰＨＳの無線端末ではＴＤＭＡ（Time Division Multiple Access：時分割多元接続）における第１スロットと第４スロットとを同時に使用して通信することはできない。
【００１９】
無線中継装置２０が端末側第１ＴＣＨと端末側第２ＴＣＨで割り当てる事ができない無線チャネルを割り当てようとすると、無線端末１０１〜１０ｎと無線基地局３０１〜３０ｍの間において無線チャネルを確立することができない。これにより、呼接続における呼損率が大きくなるという問題がある。
【００２０】
【発明が解決しようとする課題】
上記の通り、無線基地局が無線中継装置２０で使用できない無線チャネルを割り当てようとした場合、他の無線チャネルが既に他の通信に割り当てられて使用できない場合があり、無線端末１０１〜１０ｎの呼損率が増大する。また、従来技術では、先に無線基地局と無線中継装置の1つ目の通信チャネルを割り当てた後、任意の使用可能な通信チャネルで無線中継装置と無線端末との1つ目の無線チャネルを割り当てていたので、無線チャネルの割当方法によっては無線端末１０１〜１０ｎと無線基地局３０１〜３０ｍとの間で無線チャネルの確立が不可能になる無線チャネルの組合せが発生し、これによっても、無線端末１０１〜１０ｎの呼損率が増大する。
【００２１】
本発明は上記の点に鑑みてなされたものであり、無線端末と無線基地局との間で無線チャネルの確立が不可能になる無線チャネルの組合せを回避し、呼損率を減少させることができる無線チャネル割当方法、無線通信システム、及び無線中継装置を提供することを目的とする。
【００２２】
【課題を解決するための手段】
請求項１に記載の発明は、無線基地局と無線端末と複数の無線機を有する無線中継装置とを備えた無線通信システムにおいて、前記無線端末と前記無線基地局とが、前記無線中継装置を介してＴＤＭＡによって通信を行う際の無線チャネル割当方法であって、前記無線中継装置が、前記無線端末に対して、複数の無線機のうちのいずれの無線機にも使用されていない時間タイミングの無線チャネルを優先的に割り当てるステップを有する。
【００２３】
本発明によれば、無線中継装置が、無線端末に対して、同じ時間タイミングでどの無線機も送受信を行わない無線チャネルを優先的に割り当てるので、無線基地局側で割り当てるタイミングの無線チャネルを無線中継機側で使用できる可能性が高くなり、呼損率を減少させることが可能となる。また、無線基地局との無線チャネルを決定する前に無線端末に対して無線チャネルを割り当てる方式を用いることにより、無線チャネルの確立が不可能になる無線チャネルの組合せを回避しながら無線端末に対する無線チャネルの割り当てを行うことが可能となり、更に呼損率を減少させることが可能となる。
【００２４】
請求項２に記載の発明は、無線基地局と無線端末と複数の無線機を有する無線中継装置とを備えた無線通信システムにおいて、前記無線端末と前記無線基地局とが、前記無線中継装置を介してＴＤＭＡによって通信を行う際の無線チャネル割当方法であって、前記無線端末と前記無線基地局間で所定数の無線チャネルの接続を行う際に、前記無線中継装置が、
（１）前記無線端末から呼接続の要求を受けた場合、前記無線端末に割り当てる１つの無線チャネルとして、複数の無線機のうちのいずれの無線機にも使用されていない時間タイミングの無線チャネルを優先的に決定し、複数の無線機のうちのいずれの無線機にも使用されていない時間タイミングの無線チャネルが存在しなければ、使用している無線機が少ない無線チャネルから順に決定し、該無線チャネルを前記無線端末に割り当てる第１のステップと、
（２）前記無線端末に対して前記所定数の無線チャネルを割り当てるまで前記第１のステップを繰り返す第２のステップと、
（３）前記無線基地局に対し１つの無線チャネルを要求する第３のステップと、
（４）前記無線基地局が前記所定数の無線チャネルを割り当てるまで前記第３のステップを繰り返す第４のステップとを有する。
【００２５】
本発明も請求項１の発明と同様の作用効果を奏する。
【００２６】
請求項３に記載の発明は、請求項２の記載において、前記無線中継装置は、前記無線端末に制御信号を送信する無線チャネルとして、前記無線基地局から送信される制御信号と同じ時間タイミングの無線チャネルを用いるステップを含む。請求項４に記載の発明は、請求項２の記載において、前記無線中継装置は、前記無線端末に割り当てる無線チャネルとして、同じ時間タイミングでどの無線機も送受信を行わない無線チャネルが存在しない場合、前記無線基地局から送信される制御信号と同じ時間タイミングの無線チャネルを優先的に割り当てるステップを含む。
【００２７】
上記の発明によっても、請求項１の発明と同様に、無線基地局が割り当てる無線チャネルを無線中継装置で使用できる可能性を高めることができ、呼存率を減少させることが可能となる。
【００２８】
請求項５〜８に記載の発明によれば、請求項１〜４に記載の無線チャネル割当方法の実施に適した無線通信システムが提供される。
【００２９】
請求項９〜１２に記載の発明によれば、請求項１〜４に記載の無線チャネル割当方法の実施に適した無線中継装置が提供される。
【００３０】
【発明の実施の形態】
本発明の実施の形態を図１を参照して説明する。
【００３１】
本発明が適用される無線通信システム例の全体の構成は、従来例で示したものと同じである。すなわち、無線端末１０１〜１０ｎと、無線端末１０１〜１０ｎと無線チャネルで接続される無線中継装置２０と、無線中継装置２０と無線チャネルで接続される無線基地局３０１〜３０ｍとで構成される。
【００３２】
無線中継装置２０は、２以上の無線機５０１〜５０ｋと制御部４０とを含む。図１では２台の無線機５０１、５０２を示している。各無線機５０１、５０２は、２以上の呼を個別かつ並行して接続可能である。無線機５０１、５０２における呼接続は、制御部４０によって制御される。
【００３３】
本発明の実施の形態において、無線中継装置２０は、同じ時間タイミングで他の無線機が送受信を行わない無線チャネルを優先的に割り当てる手段を含む。
【００３４】
次に本実施の形態の動作を図面を参照して説明する。
【００３５】
このような構成の無線通信システムでの発信のシーケンスを図２（ａ）に示す。ここで示すシーケンスは、ＰＨＳを例にとったものである。図２（ｂ）〜（ｆ）には、無線チャネルの内容を示し、シーケンスに従って無線チャネルが割り当てられる様子を示す。
【００３６】
ＰＨＳでは無線チャネル構成はＴＤＭＡ方式に基づく構成をとっており、無線端末１０１〜１０ｎ、無線中継装置２０及び無線基地局３０１〜３０ｍが使用可能である無線チャネルであって、１つの無線端末１０１〜１０ｎ、無線中継装置２０及び無線基地局３０１〜３０ｍの１つの無線機あたりの無線チャネルは４つである。それぞれの無線チャネルを第１スロット、第２スロット、第３スロット、第４スロットと呼ぶ。
【００３７】
無線基地局３０１〜３０ｍと無線中継装置２０とで無線通信を行うためには、無線基地局３０１〜３０ｍと無線中継装置２０が同じ時間タイミングの無線チャネルを使用する必要がある。同様に無線中継装置２０と無線端末１０１〜１０ｎとで無線通信を行うためには同じ時間タイミングの無線チャネルを使用する必要がある。
【００３８】
数字符号１は、無線端末１０１〜１０ｎから無線中継装置２０、又は無線中継装置２０から無線基地局３０１〜３０ｍに送信されるＬＣＨ確立要求信号を、符号２は無線基地局３０１〜３０ｍから無線中継装置２０、又は無線中継装置２０から無線端末１０１〜１０ｎに送信されるＬＣＨ割当信号を、符号３は無線端末１０１〜１０ｎから無線中継装置２０、又は無線中継装置２０から無線基地局３０１〜３０ｍに送信されるＴＣＨ追加要求信号を、符号４は無線基地局３０１〜３０ｍから無線中継装置２０、又は無線中継装置２０から無線端末１０１〜１０ｎに送信されるＴＣＨ追加割当信号を示している。
【００３９】
無線基地局３０１〜３０ｍは、無線中継装置２０に対して制御チャネルで制御信号（以下「基地局側ＬＣＣＨ」という。）を送信する（ステップ２０１）。無線中継装置２０は、無線基地局３０１〜３０ｍのうち１つの無線基地局の制御信号を受信する。図２では、無線中継装置２０が無線基地局３０１の制御信号を受信する場合を示している。
【００４０】
無線中継装置２０は、無線基地局３０１の制御信号と同じ時間タイミングで無線端末１０１〜１０ｎに制御信号（以下、「端末側ＬＣＣＨ」という。）を送信する（ステップ２０２）。ここで、無線基地局３０１が第２スロットで基地局側ＬＣＣＨを送信しているとすると、図２（ｂ）に示すように、無線中継装置２０は、基地局側ＬＣＣＨを無線機５０１の第２スロットで受信し、端末側ＬＣＣＨを無線機５０２の第２スロットで送信する。
【００４１】
また、無線中継装置２０は、無線端末１０１〜１０ｎ及び無線基地局３０１〜３０ｍに対して、同時に複数の呼接続を確立することが可能である。ここで、無線端末１０１が呼接続を行う前に、無繚端末１０２の第３スロットと無線中継装置２０の無線機５０１の第３スロットが無線チャネルを確立し、無線基地局３０２の第１スロットと無線中継装置２０の無線機５０２の第１スロットが無線チャネルを確立することによって、無線端末１０２と無線基地局３０２とが通信を既に行っているとする。従って、図２（ｂ）に示すように、該当のスロットは“割当済”となる。
【００４２】
続いて、無線端末１０１は、発信時に端末側第１ＴＣＨの割当のためのＬＣＨ確立要求信号１を制御チャネルによって無線中継装置２０に送信する（ステップ２０３）。
【００４３】
無線中継装置２０は、無線端末１０１からの端末側第１ＴＣＨの割当のためのＬＣＨ確立要求信号１を受信すると、同じ時間タイミングでどの無線機も送受信を行っていない無線チャネルから端末側第１ＴＣＨを決定する。ここで、図２（ｂ）からわかるように、無線中継装置２０は、第１〜第４スロットのうち、同じ時間タイミングでどの無線機も送受信を行っていない第４スロットを端末側第１ＴＣＨに割り当てる。また、無線機は、使用していない無線チャネルが多いものを選択する。ここでは、無線機５０２を用いるものとする。従って、無線チャネルの割当状態は図２（ｃ）に示すようになる。
【００４４】
図２（ｃ）のように端末側第１ＴＣＨを割り当てることによって、例えば、仮にこの後に無線基地局が無線チャネルを無線中継装置に対して割り当てる場合には第１、第３、第４スロットの何れか３通りを割り当てることが可能である。しかし、例えば、先に無線機５０２の第３スロットに端末側第１ＴＣＨを割り当てた場合には、第１、又は第４スロットの2通りしか使用できないこととなる。従って、本発明の割り当て方法を用いることによって、呼損を減少させることが可能となる。
【００４５】
続いて、端末側第１ＴＣＨを無線端末１０１に通知するためにＬＣＨ割当信号２を無線端末１０１に送信する（ステップ２０４）。
【００４６】
無線端末１０１は、ＬＣＨ割当信号２を受信すると、無線中継装置２０から割り当てられた端末側第１ＴＣＨの無線チャネルを調べ、他に干渉波が存在せず、通信可能であれば、無線中継装置２０と無線端末１０１との端末側第１ＴＣＨの同期を確立する（ステップ２０５）。
【００４７】
そして、発信が６４ｋ通信であれば、無線端末１０１は端末側第２ＴＣＨの割当を要求するためにＴＣＨ追加要求信号３を無線中継装置２０に送信する（ステップ２０６）。
【００４８】
無線中継装置２０は、ＴＣＨ追加要求信号３を受信すると、同じ時間タイミングで、どの無線機も送受信を行っていない無線チャネルから端末側第１ＴＣＨを決定する。ここで、第１スロット〜第４スロットの全ての無線チャネルで、無線機５０１又は無線機５０２が送受信を行っているので、使用している無線機が少ない無線チャネルから順に端末側第２ＴＣＨに決定する。ただし、無線端末１０１は、第１スロット及び第４スロットを同時に使用することができないので、図２（ｄ）に示すとおり、無線中継装置２０は第３スロットを端末側第２ＴＣＨに割り当てる。
【００４９】
そして、端末側第２ＴＣＨの割当を無線端末に通知するためにＴＣＨ追加割当信号４を無線端末１０１に送信する（ステップ２０７）。
【００５０】
無線端末１０１は、ＴＣＨ追加割当信号４を受信すると、無線中継装置２０から割り当てられた端末側第２ＴＣＨの無線チャネルを調べ、他に干渉波が存在せず、通信可能であれば、無線中継装置２０と無線端末１０１との端末側第２ＴＣＨの同期を確立する（ステップ２０８）。
【００５１】
無線中継装置２０は、無線端末１０１との全ての無線チャネルが確立されると、基地局側第１ＴＣＨを要求するためにＬＣＨ確立要求信号１を無線基地局３０１に送信する（ステップ２０９）。
【００５２】
無線基地局３０１は、ＬＣＨ確立要求信号１を受信すると、無線基地局３０１で使用していない無線チャネルを無線中継装置２０に対して基地局側第１ＴＣＨとして割り当て、ＬＣＨ割当信号４によって無線中継装置２０に通知する。ここで無線基地局３０１は、第１スロットを割り当てたとする（ステップ２１０）。
【００５３】
無線中継装置２０は、ＬＣＨ割当信号２を受信すると、無線基地局３０１から割り当てられた基地局側第１ＴＣＨの無線チャネルを調べ、他に干渉波が存在せず、通信可能であれば、無線基地局３０１と無線中継装置２０との基地局側第１ＴＣＨの同期を確立する（ステップ２１１）。無線チャネルの割当状態は図２（ｅ）に示すとおりである。
【００５４】
そして、発信が６４ｋ通信であれば、基地局側第２ＴＣＨの割当を要求するためにＴＣＨ追加要求信号３を無線基地局３０１に送信する（ステップ２１２）。
【００５５】
無線基地局３０１は、ＴＣＨ追加要求信号３を受信すると、無線基地局３０１で使用していない無線チャネルを無線中継装置２０に対して基地局側第２ＴＣＨとして割り当て、ＴＣＨ追加割当信号４によって無線中継装置２０に通知する（ステップ２１３）。ここで無線基地局３０１は、第４スロットを割り当てたとする。
【００５６】
無線中継装置２０は、ＴＣＨ追加割当信号４を受信すると、無線基地局３０１から割り当てられた基地局側第２ＴＣＨの無線チャネルを調べ、他に干渉波が存在せず、通信可能であれば、無線基地局３０と無線中継装置２０との基地局側第２ＴＣＨの同期を確立する（ステップ２１４）。無線チャネルの割当状態は図２（ｆ）に示すとおりである。
【００５７】
なお、無線中継装置２０が、無線端末１０１に無線チャネルを割り当てるとき、同じ時間タイミングで、どの無線機も送受信を行っていない無線チャネルが存在しない場合、無線基地局３０１から送信される制御信号と同じ時間タイミングの無線チャネルを優先的に割り当てることも可能である。これにより、制御信号と同じ時間タイミングの無線チャネルの使用を抑制する無線基地局を使用する場合に、他の時間タイミングの無線チャネルが使用できる確率が高まり、呼損率の減少につながる。
【００５８】
また、無線基地局から割り当てられた無線チャネルが利用不可であれば、無線中継装置が無線基地局に対して、無線チャネルの割当を再要求するが、本発明によれば、無線基地局から割り当てられた無線チャネルを無線中継機側で割り当て可能なスロット数が増加するので、接続できる可能性が従来より高くなる。
【００５９】
図３は、本発明を用いた場合の呼接続確率のシミュレーションの結果を、図４、図５に示した従来のシステムと比較して示す図である。シミュレーションの諸元を次に示す。無線基地局は制御チャネルを１つと無線チャネルを７、４そして３つ使用可能である。無線基地局、無線中継装置で既に使用されている無線チャネルはランダムとする。本発明によれば、図３に示されるように、無線チャネルが７つの場合で、呼損率を約３０％改善できる。
【００６０】
本発明は、上記の実施例に限定されることなく、特許請求の範図内で種々変更・応用が可能である。
【００６１】
【発明の効果】
このように本発明は、無線端末に対して、同じ時間タイミングで他の無線機が送受信を行わない無線チャネルを優先的に割り当てることにより、無線基地局から割り当てられた無線チャネルが無線中継装置で利用不可になることを防ぎ、呼損率を低減させることができる。
【００６２】
また、無線基地局から割り当てられた無線チャネルが利用不可であれば、無線中継装置が無線基地局に対して、無線チャネルの割当を再要求するが、無線基地局から割り当てられた無線チャネルを無線中継機側で割り当てるスロット数が増加するので、接続できる可能性が従来より高くなり、無線チャネルの再要求による呼接続の処理時間を短縮することができる。
【００６３】
【図面の簡単な説明】
【図１】本発明の実施の形態おける無線通信システムの構成例を示す図である。
【図２】本発明の実施の形態を説明するためのシーケンス図である。
【図３】呼接続確立のシミュレーションの結果を示す図である。
【図４】従来の技術における無線通信システムの構成例を示す図である。
【図５】従来の技術における無線通信システムでの無線チャネル割当方法のシーケンス図である。
【符号の説明】
１０１〜１０ｎ  無線端末
２０  無線中継装置
３０１〜３０ｍ  無線基地局
４０  制御部
５０１〜５０ｋ  無線機
【図１】
0003898877.tif 000002
【図２】
0003898877.tif 000003
【図３】
0003898877.tif 000004
【図４】
0003898877.tif 000005
【図５】
0003898877.tif 000006